(57)【特許請求の範囲】
【請求項１】
電源側と負荷側の間に設けられ、仮送電線路を開閉する高圧開閉器と、該高圧開閉器の負荷側の各相に挿入された複数のヒューズとを備えて構成され、高圧需要家受電設備の新設及び改修等の工事で仮送電を行う際に使用される仮送電用高圧装置において、
前記複数のヒューズの両側に設けられて各相の電圧を検出する第１及び第２の電圧検出センサと、
前記第１及び第２の電圧検出センサ間の検出電圧の位相差から異相状態が検出され、かつ、前記第１及び第２の電圧検出センサで検出した電圧の少なくとも１相の電圧が所定値以下であることをもって前記ヒューズの遮断を判定する複数のヒューズ切れ検出回路と、
前記複数のヒューズ切れ検出回路のいずれかが前記ヒューズの遮断を判定したときに前記高圧開閉器を開放する制御手段と、
を設けたことを特徴とする仮送電用高圧装置のヒューズ切れ検出保護装置。
【請求項２】
前記ヒューズ切れ検出回路は、対地電圧の１／２を基準にして前記所定値以下の電圧か否かを判定することを特徴とする請求項１記載の仮送電用高圧装置のヒューズ切れ検出保護装置。
【請求項３】
前記ヒューズ切れ検出回路は、前記異相の検出が、前記第１及び第２の電圧検出センサ間の検出電圧の位相差が±４５°以上のときに行われることを特徴とする請求項１記載の仮送電用高圧装置のヒューズ切れ検出保護装置。
【請求項４】
電源側と負荷側の間に設けられ、仮送電線路を開閉する高圧開閉器と、該高圧開閉器の負荷側の各相に挿入された複数のヒューズと、前記高圧開閉器の前段の各相に設けられた複数の変流器と、前記高圧開閉器と前記ヒューズの間に設けられた零相変流器とを備えて構成され、高圧需要家受電設備の新設及び改修等の工事で仮送電を行う際に使用される仮送電用高圧装置において、前記複数のヒューズの両側に設けられて各相の電圧を検出する第１及び第２の電圧検出センサと、
前記高圧開閉器の電源側に設けられて各相の電圧を検出する第３の電圧検出センサと、
前記零相変流器および前記複数の変流器により検出した零相電流の位相と前記第３の電圧検出センサで検出した零相電圧の位相に基づいて地絡を検出する方向性地絡継電器部と、
前記第１及び第２の電圧検出センサ間の検出電圧の位相差から異相状態が検出され、かつ、前記第１及び第２の電圧検出センサで検出した電圧の少なくとも１相の電圧が所定値以下であることをもって前記ヒューズの遮断を判定するヒューズ切れ検出回路と、
前記方向性地絡継電器部または前記ヒューズ切れ検出回路に出力信号が生成したときに前記高圧開閉器を開放する制御手段と、
を設けたことを特徴とする仮送電用高圧装置のヒューズ切れ検出保護装置。
【発明の詳細な説明】
【発明の属する技術分野】
本発明は、仮送電用高圧装置のヒューズ切れ検出保護装置に関し、特に、高圧需要家の受電設備の新設、改修時に仮送電により電力を供給する際に用いられる仮送電用高圧装置におけるヒューズ切れ検出保護装置に関するものである。
【従来の技術】
高圧需要家の受電設備の新設、改修時に仮送電により電力を供給する場合、受電設備側の事故時、電力側への事故波及を防止する為、仮送電用高圧装置を介して電力供給が行われる。この仮送電用高圧装置は、その機能から大別するとＳＯＧ（Storage Over-current and Ground relay)開閉部とヒューズ付開閉部から構成されている。具体的には、地絡事故を検出する方向性地絡継電器、電源側と負荷側を遮断する引外し形高圧開閉器、及び開閉装置を備えて構成されている。開閉装置は、短絡事故時の過電流により溶断して負荷を保護するヒューズ、そのヒューズ切れを機械的に検出して負荷側を一括で開放する機構部を備えている。
受電設備側で起こりうる事故として、地絡事故、過電流事故、地絡事故と過電流事故が同時に発生する事故の３つのケースがある。これらの事故に対し、仮送電用高圧装置は有効に機能する必要がある。従来の仮送電用高圧装置は、仮送電中に受電設備側で地絡事故が発生した場合には引外し形高圧開閉器を開放させ、また、短絡事故の場合にはヒューズの遮断を機械的手段によって検出し、負荷側の三相を一括で開閉装置により開放する機能を備えている。
【発明が解決しようとする課題】
しかし、従来の仮送電用高圧装置のヒューズ切れ検出保護装置によると、短絡事故の発生時、ヒューズの遮断を機械的に検出して（例えば、ヒューズ切れ発生時にノッチが飛び出す機構をヒューズ本体に設けて前記ノッチの飛び出しを機械的に検出する）開閉器を駆動し、電源側から負荷を開放する構成であるため、構造が複雑になり、大型化する。仮送電用高圧装置は使用場所が頻繁に変わると共に運搬や移動が多いため、仮送電用高圧装置が大型化することによって作業性が悪くなり、また、故障の原因になり易い。
したがって、本発明の目的は、過負荷・短絡事故及び仮送電用高圧装置の運搬や移動の際の機械的衝撃等に伴うヒューズ切れを電気的に検出して引外し形高圧開閉器を開放させ、簡単な構成により小型軽量化及び高信頼性を得ることのできる仮送電用高圧装置のヒューズ切れ検出保護装置を提供することにある。
【課題を解決するための手段】
本発明は、上記の目的を達成するため、第１の特徴として、電源側と負荷側の間に設けられ、仮送電線路を開閉する高圧開閉器と、該高圧開閉器の負荷側の各相に挿入された複数のヒューズとを備えて構成され、高圧需要家受電設備の新設及び改修等の工事で仮送電を行う際に使用される仮送電用高圧装置において、前記複数のヒューズの両側に設けられて各相の電圧を検出する第１及び第２の電圧検出センサと、前記第１及び第２の電圧検出センサ間の検出電圧の位相差から異相状態が検出され、かつ、前記第１及び第２の電圧検出センサで検出した電圧の少なくとも１相の電圧が所定値以下であることをもって前記ヒューズの遮断を判定する複数のヒューズ切れ検出回路と、前記複数のヒューズ切れ検出回路のいずれかが前記ヒューズの遮断を判定したときに前記高圧開閉器を開放する制御手段と、を設けたことを特徴とする仮送電用高圧装置のヒューズ切れ検出保護装置を提供する。
また、本発明は、上記の目的を達成するため、第２の特徴として、電源側と負荷側の間に設けられ、仮送電線路を開閉する高圧開閉器と、該高圧開閉器の負荷側の各相に挿入された複数のヒューズと、前記高圧開閉器の前段の各相に設けられた複数の変流器と、前記高圧開閉器と前記ヒューズの間に設けられた零相変流器とを備えて構成され、高圧需要家受電設備の新設及び改修等の工事で仮送電を行う際に使用される仮送電用高圧装置において、前記複数のヒューズの両側に設けられて各相の電圧を検出する第１及び第２の電圧検出センサと、前記高圧開閉器の電源側に設けられて各相の電圧を検出する第３の電圧検出センサと、前記零相変流器および前記複数の変流器により検出した零相電流の位相と前記第３の電圧検出センサで検出した零相電圧の位相に基づいて地絡を検出する方向性地絡継電器部と、前記第１及び第２の電圧検出センサ間の検出電圧の位相差から異相状態が検出され、かつ、前記第１及び第２の電圧検出センサで検出した電圧の少なくとも１相の電圧が所定値以下であることをもって前記ヒューズの遮断を判定するヒューズ切れ検出回路と、前記方向性地絡継電器部または前記ヒューズ切れ検出回路に出力信号が生成したときに前記高圧開閉器を開放する制御手段と、を設けたことを特徴とする仮送電用高圧装置のヒューズ切れ検出保護装置を提供する。
【発明の実施の形態】
以下、本発明の実施の形態を図面を参照して説明する。
図１は本発明に係る仮送電用高圧装置のヒューズ切れ検出保護装置の第１の実施の形態を示す。
ヒューズ切れ検出保護装置１は、仮送電用高圧装置の構成要素である引外し形交流高圧負荷開閉器（以下、「引外し形高圧開閉器」という）１００に接続されている。ヒューズ切れ検出保護装置１は、引外し形高圧開閉器１００からの検出信号を基に位相差と電圧状態を検出するＡ相ヒューズ切れ検出回路１０Ａ、Ｂ相ヒューズ切れ検出回路１０ＢおよびＣ相ヒューズ切れ検出回路１０Ｃと、これら３つの各相のヒューズ切れ検出回路から出力された信号のオア（ＯＲ）論理をとるオア回路２０（制御手段）と、このオア回路２０の出力に応じて点灯／消灯するＬＥＤ（発光ダイオード）３０を備えて構成される。オア回路２０の出力は制御指令４０（開閉器トリップ信号）として、引外し形高圧開閉器１００のトリップコイル１０５に印加される。Ａ相ヒューズ切れ検出回路１０Ａ、Ｂ相ヒューズ切れ検出回路１０Ｂ、Ｃ相ヒューズ切れ検出回路１０Ｃは、共に同一構成であり、図１ではＡ相ヒューズ切れ検出回路１０Ａについてのみ内部の回路を示している。
引外し形高圧開閉器１００は三相（Ａ相、Ｂ相、Ｃ相）に対応し、電源側端子１０１と負荷側端子１０２の間には、電源側から順に開閉部１０３、ヒューズ１０４ａ，１０４ｂ，１０４ｃが挿入接続されている。開閉部１０３は、ヒューズ切れ検出保護装置１からの出力により励磁されるトリップコイル１０５、このトリップコイル１０５によって作動するアーマチュア１０６ａ、このアーマチュア１０６ａの作動に連動して開閉部１０３を開閉駆動する作動部材１０６ｂを備えて構成されている。
ヒューズ１０４ａ，１０４ｂ，１０４ｃの電源側の各相と対地間には、電圧検出センサ１０７ａ（ＰＤ１Ａ），１０７ｂ（ＰＤ１Ｂ），１０７ｃ（ＰＤ１Ｃ）が接続されている。更に、ヒューズ１０４ａ，１０４ｂ，１０４ｃの負荷側の各相と対地間には、電圧検出センサ１０８ａ（ＰＤ２Ａ），１０８ｂ（ＰＤ２Ｂ），１０８ｃ（ＰＤ２Ｃ）が接続されている。電圧検出センサ１０７ａ，１０７ｂ，１０７ｃ，１０８ａ，１０８ｂ，１０８ｃは、ヒューズ切れ検出保護装置１の一部を成すものであるが、高電圧のまま引外し形高圧開閉器１００からヒューズ切れ検出保護装置１へ引出線を引き回すことができないため、引外し形高圧開閉器１００内に設けている。これら電圧検出センサのそれぞれは、２個のコンデンサーを直列接続して構成され、容量比で分圧した相電圧を検出する。電圧検出センサ１０７ａ，１０７ｂ，１０７ｃの各出力は信号線１０９に出力され、同様に電圧検出センサ１０８ａ，１０８ｂ，１０８ｃの各出力も信号線１１０に出力される。
次に、Ａ相ヒューズ切れ検出回路１０Ａの構成について説明する。信号線１０９に接続されたフィルタ１１ａにはＡ／Ｄ変換器１２ａと矩形波変換器１３ａが並列接続され、信号線１１０に接続されたフィルタ１１ｂにはＡ／Ｄ変換器１２ｂと矩形波変換器１３ｂが並列接続されている。矩形波変換器１３ａ，１３ｂには位相比較回路１４が接続されている。また、Ａ／Ｄ変換器１２ａ，１２ｂには重み付け回路１５が接続され、この重み付け回路１５にはナンド（ＮＡＮＤ）ゲート１６が接続されている。ナンドゲート１６の出力と位相比較回路１４の出力にはアンド（ＡＮＤ）ゲート１７が接続されている。
フィルタ１１ａ，１１ｂは、信号線１０９，１１０中の５０Ｈｚまたは６０Ｈｚ以外の周波数成分を除去する。矩形波変換器１３ａ，１３ｂは、正弦波信号から矩形波を生成する。位相比較回路１４は、矩形波変換器１３ａ，１３ｂから出力される２つの矩形波の立ち上がりまでの時間差から位相差を計測する。重み付け回路１５は、Ａ／Ｄ変換器１２ａ，１２ｂからのデジタル値のそれぞれに重みを付け、対地電圧に換算する。そして、この換算値と予め設定した基準値（例えば対地電圧の１／２）とを比較し、換算値が基準値を越えれば電圧検出センサの検出部に電圧が現れているものと判定する。ナンドゲート１６は、重み付け回路１５の２つの出力が同時に“Ｈ”レベルのときに“Ｌ”レベルになり、その他のときは“Ｈ”レベルを出力する。
以上の構成において、ケース１〜５における動作を説明する。
〔ケース１〕
開閉部１０３が閉じられ、かつヒューズ１０４ａ，１０４ｂ，１０４ｃにヒューズ切れが発生していない場合、電圧検出センサ１０７ａ〜１０７ｃと１０８ａ〜１０８ｃの間は同位相で位相差の無い三相電圧が検出され、信号線１０９，１１０に出力される。この結果、Ａ相ヒューズ切れ検出回路１０Ａ、Ｂ相ヒューズ切れ検出回路１０Ｂ、及びＣ相ヒューズ切れ検出回路１０Ｃの出力信号は共に“Ｌ”レベルとなり、オア回路２０の出力は“Ｌ”レベルとなるため、ＬＥＤ３０は消灯したままであり、かつトリップコイル１０５には制御指令４０が印加されない。
〔ケース２〕
開閉部１０３が開放（開閉器切り）でヒューズ１０４ａ，１０４ｂ，１０４ｃにヒューズ切れがなく、かつ負荷側に電圧が無い場合、フィルタ１１ａ，１１ｂから出力信号が発生せず、アンドゲート１７はアンド条件が成立せず、Ａ相ヒューズ切れ検出回路１０Ａには出力電圧は発生しない。同様に、Ｂ相ヒューズ切れ検出回路１０Ｂ、Ｃ相ヒューズ切れ検出回路１０Ｃにも出力電圧は発生しない。このため、オア回路２０はオア論理が成立せず、ＬＥＤ３０は消灯のままで、開閉部１０３は開放のままになる。
〔ケース３〕
開閉部１０３が開放（開閉器切り）で、ヒューズ１０４ａ，１０４ｂ，１０４ｃの全てが正常であり、かつ、例えば、負荷側に発電機が接続されている等の理由により負荷側に電圧がある場合、電圧検出センサ１０８ａ，１０８ｂ，１０８ｃ及び電圧検出センサ１０７ａ，１０７ｂ，１０７ｃに検出電圧が生じる。Ａ相ヒューズ切れ検出回路１０Ａにおいては、フィルタ１１ａ，１１ｂのそれぞれに信号が出力されるので、位相比較回路１４は位相差を検出できず、その出力は“Ｌ”レベルになる。また、Ａ／Ｄ変換器１２ｂ及び１２ｂもそれぞれに信号が出力されるので電圧差は生ぜず、２入力が共に“Ｈ”レベルのナンドゲート１６の出力は“Ｌ”レベルになる。この結果、アンドゲート１７はアンド論理が成立せず、Ａ相ヒューズ切れ検出回路１０Ａからは出力信号が発生しない。Ｂ相ヒューズ切れ検出回路１０Ｂ及びＣ相ヒューズ切れ検出回路１０ＣもＡ相ヒューズ切れ検出回路１０Ａと全く同じ動作になるため、Ｂ相ヒューズ切れ検出回路１０Ｂ及びＣ相ヒューズ切れ検出回路１０Ｃからは出力信号が発生しない。このため、オア回路２０は３入力が共に“Ｌ”レベルになり、出力信号は“Ｌ”レベルのままであり、ＬＥＤ３０は消灯したままで、トリップコイル１０５にも制御指令４０は出力されない。
〔ケース４〕
ケース３の状態下でヒューズ１０４ａが切れた場合、電圧検出センサ１０７ａのＰＤ１Ａには検出電圧が発生せず、ＰＤ１Ｂ及びＰＤ１Ｃには検出電圧が発生する。また、電圧検出センサ１０８ａ，１０８ｂ，１０８ｃのそれぞれにも検出電圧が発生する。このため、Ｂ相ヒューズ切れ検出回路１０ＢとＣ相ヒューズ切れ検出回路１０Ｃはケース３で説明したように、出力信号は“Ｌ”レベルのままであるが、Ａ相ヒューズ切れ検出回路１０Ａは異なる動作をする。つまり、矩形波変換器１３ａには電圧が発生せず、矩形波変換器１３ｂにのみ電圧が発生するため、位相比較回路１４は“Ｈ”レベルの出力信号を発生する。
一方、Ａ／Ｄ変換器１２ａには出力が生ぜず、Ａ／Ｄ変換器１２ｂにのみ出力が発生する。この結果、重み付け回路１５では一方の出力端子に出力電圧が発生し他方の出力端子には出力電圧が発生しない。このため、ナンドゲート１６の入力の一方が“Ｈ”レベルで他方が“Ｌ”レベルになり、ナンドゲート１６の出力は“Ｈ”レベルになる。アンドゲート１７は２入力が共に“Ｈ”レベルであるために出力は“Ｈ”レベルになる。オア回路２０は、Ａ相ヒューズ切れ検出回路１０Ａの出力が“Ｈ”レベル、Ｂ相ヒューズ切れ検出回路１０Ｂの出力が“Ｌ”レベル、Ｃ相ヒューズ切れ検出回路１０Ｃの出力が“Ｌ”レベルであるためにオア論理が成立し、出力は“Ｈ”レベルになる。したがって、ＬＥＤ３０が点灯して“ヒューズ切れ（ヒューズ遮断）”を警告するほか、制御指令４０が出力される。しかし、この状態では既に開閉部１０３が開放されているため、その状態が維持される。ヒューズ１０４ａについて説明したが、他のヒューズ１０４ｂ、１０４ｃの遮断のときでも動作は同じである。
なお、ケース３において、ヒューズ１０４ａ，１０４ｂ，１０４ｃの全てが切れた場合、Ａ相ヒューズ切れ検出回路１０Ａ、Ｂ相ヒューズ切れ検出回路１０Ｂ、Ｃ相ヒューズ切れ検出回路１０Ｃの出力いずれも“Ｈ”レベルになり、オア回路２０が動作し、ＬＥＤ３０の点灯、及び制御指令４０の出力が行われる。このように、オア回路２０を介して最終出力を得ているため、ヒューズ１０４は１本が切れてしまえば、２本が切れても３本が切れても同じ動作をする。
〔ケース５〕
開閉部１０３が閉の状態でヒューズ１０４ａ，１０４ｂ，１０４ｃのいずれか、例えば、ヒューズ１０４ａが切れた場合、電圧検出センサ１０７ａ，１０７ｂ，１０７ｃ，１０８ｂ，１０８ｃのそれぞれには検出電圧が生じているが、電圧検出センサ１０８ａには検出電圧が生じなくなる。このため、矩形波変換器１３ａに出力が生じ、矩形波変換器１３ｂには出力が生じないので、位相比較回路１４の出力は“Ｈ”レベルになる。また、Ａ／Ｄ変換器１２ａに出力が生じ、Ａ／Ｄ変換器１２ｂには出力が生じないため、ナンドゲート１６の入力の一方が“Ｈ”レベルで他方が“Ｌ”レベルになり、ナンドゲート１６の出力は“Ｈ”レベルになる。ナンドゲート１６及び位相比較回路１４が共に“Ｈ”レベルを出力することから、アンドゲート１７の出力は“Ｈ”レベルになる。このとき、Ｂ相ヒューズ切れ検出回路１０Ｂ及びＣ相ヒューズ切れ検出回路１０Ｃの出力は共に“Ｌ”レベルであるが、アンドゲート１７の出力が“Ｈ”レベルなため、オア回路２０はオア論理が成立し、その出力は“Ｈ”レベルになる。したがって、ＬＥＤ３０が点灯して“ヒューズ切れ”を警告する。同時に、制御指令４０が出力される結果、トリップコイル１０５に通電が行われ、引外し形高圧開閉器１００がトリップ（開閉部１０３が開放）される。
次に、以上のように、位相差と電圧有無のアンド条件をアンドゲート１７で取っている理由について説明する。開閉部１０３が閉の状態では、負荷の状態によっては回り込み電圧が発生し、ヒューズが切れていても、検出電圧が通常の電圧値以上になることが考えられる。したがって、検出電圧の有無だけでヒューズ切れを判定すると、実際にはヒューズ切れであるのにヒューズ切れ無しと判定される恐れがある。ヒューズ切れの場合、その相の回り込み電圧の位相は、他の相の分が合成された位相値になるため、電圧が生じている反対側端との位相差は１８０°±７０°になる。そこで、本発明では位相差を検出し、回り込み電圧の位相が±４５°以上であれば異相とし、この位相差検出と同時に電圧検出の２つの条件が成立したときにヒューズ切れを判定している。
図２は本発明に係るヒューズ切れ検出保護装置の第２の実施の形態を示す。図２においては、図１に示した部材と同一または同一機能を有するものには同一引用数字を用いたので重複する説明は省略する。本実施の形態の特徴は、ＳＯＧ機能を備えたことにあり、短絡故障時に遅延機能優先処理を行い、蓄勢トリップ記憶時はヒューズ切れトリップ制御は行わない。つまり、短絡電流の遮断は行わない。
ＳＯＧ機能を持たせるため、引外し形高圧開閉器１００には、図１の構成に加え、電圧検出センサ１１１ａ（ＰＤ３Ａ），１１１ｂ（ＰＤ３Ｂ），１１１ｃ（ＰＤ３Ｃ）、変流器（ＣＴ）１１２ａ，１１２ｂ，１１２ｃ、零相変流器（ＺＣＴ）１１３を設けている。電圧検出センサ１１１ａ，１１１ｂ，１１１ｃは電源側端子１０１と接地間に設けられている。変流器（ＣＴ）１１２ａ，１１２ｂ，１１２ｃは電源側端子１０１と開閉部１０３の間のＡ，Ｂ，Ｃ各相に取り付けられ、零相変流器（ＺＣＴ）１１３は開閉部１０３とヒューズ１０４の間のＡ，Ｂ，Ｃ各相に取り付けられている。電圧検出センサ１１１ａ，１１１ｂ，１１１ｃは他の電圧検出センサと同様に、ヒューズ切れ検出保護装置１の一部を成すものであるが、高電圧のまま引外し形高圧開閉器１００からヒューズ切れ検出保護装置１へ引出線を引き回すことができないため、引外し形高圧開閉器１００内に設けている。
また、ヒューズ切れ検出保護装置１には、図１に示したヒューズ切れ検出回路１０Ａ，１０Ｂ，１０Ｃの３つの回路を含むヒューズ切れ検出回路５０、およびＬＥＤ３０のほか、方向性地絡継電器部６０、検相回路７０、オアゲート８０（制御手段）、ＬＥＤ９０を備えている。方向性地絡継電器部６０は、電圧検出センサ１１１ａ，１１１ｂ，１１１ｃ、変流器１１２ａ，１１２ｂ，１１２ｃ、および零相変流器１１３の出力が入力される。
図２の構成において、ヒューズ切れ検出回路５０の動作については、図１のＡ相ヒューズ切れ検出回路１０Ａ、Ｂ相ヒューズ切れ検出回路１０Ｂ、Ｃ相ヒューズ切れ検出回路１０Ｃで説明した通りであるので、重複する説明は省略する。
変流器１１２ａ，１１２ｂ，１１２ｃにより負荷側の過電流事故を検出した場合、この過電流事故発生が記憶手段（不図示）に記憶され、ＬＥＤ３０を点灯する。このとき、電源側の遮断器（不図示）が動作して高圧配電線路を停電にする。高圧配電線路の停電によって制御電源が消失すると、例えば、０．５秒以上が経過した後、引外し形高圧開閉器１００は自動的に開放される。
また、地絡事故時には、零相変流器１１３および変流器１１２ａ，１１２ｂ，１１２ｃにより検出した零相電流の位相と電圧検出センサ１０７ａ，１０７ｂ，１０７ｃで検出した零相電圧の位相に基づいて、方向性地絡継電器部６０は地絡電流の方向を判別する。そして、負荷側地絡事故であることが判定された場合には、“地絡有り”の検出信号（“Ｈ”レベル電圧）をオアゲート８０へ出力する。オアゲート８０は出力を“Ｈ”レベルにし、制御指令４０をトリップコイル１０５に印加して引外し形高圧開閉器１００を開放する。
検相回路７０は、電圧検出センサ１１１ａ，１１１ｂ，１１１ｃの検出電圧と電圧検出センサ１０８ａ，１０８ｂ，１０８ｃの検出電圧を同一相の間で比較し、その位相差から電源側と負荷側とに異相が検出されたとき、ＬＥＤ９０を点灯させ、“異相”状態にあることを警告する。
図２の構成においては、前述したように、ＳＯＧ機能を有しているため、地絡事故と過電流事故が重なった場合、過電流継電器の動作が優先する。したがって、遮断器の動作後に、０．５秒以上経過して引外し形高圧開閉器１００は開放する。また、蓄勢トリップ記憶時には、ヒューズ切れトリップ制御を行わず、これによって、短絡電流を遮断しない。このために、ヒューズ切れ検出時間は、地絡故障検出時間よりも長くとり、地絡検出処理がヒューズ切れ検出処理より確実に優先できるようにしている。
前記各実施の形態においては、一個のＬＥＤ３０をオア回路２０に接続し、ヒューズ切れ検出回路１０Ａ，１０Ｂ，１０Ｃのいずれでヒューズ切れが発生したかはわからない構成にしたが、ヒューズ切れ検出回路１０Ａ，１０Ｂ，１０Ｃの夫々の出力端子に接続する構成にすれば、どの相にヒューズ切れが発生したかを知ることができる。
上記の説明では、引外し形高圧開閉器を例に説明したが、本発明はこのタイプに限定されるものではない。また、三相に限らず、単相その他の場合にも本発明を適用することができる。
【発明の効果】
以上説明した通り、本発明の仮送電用高圧装置のヒューズ切れ検出保護装置によれば、電圧検出センサでヒューズの両側から検出した相電圧の位相差から異相状態を検出し、かつ、電圧検出センサで検出した電圧が所定値以下であるときにヒューズ切れを判定する複数のヒューズ切れ検出回路、および前記複数のヒューズ切れ検出回路のいずれかがヒューズ切れを判定したときに高圧開閉器を開放する制御手段を備えた構成にしたので、短絡事故に伴うヒューズ切れを電気的に検出して高圧開閉器を開放でき、かつ、簡単な構成により仮送電用高圧装置の小型軽量化及び高信頼性を達成することができる。
更に、零相電流の位相と零相電圧の位相に基づいて地絡事故時を検出する方向性地絡継電器部、電圧検出センサで検出した電圧が所定値以下であるときにヒューズ切れを判定する複数のヒューズ切れ検出回路、および前記方向性地絡継電器部または前記ヒューズ切れ検出回路のいずれかに出力信号が生成されたときに前記高圧開閉器を開放する制御手段を備えた構成にすることにより、短絡故障時遅延機能を優先処理し、系統の安全性を高めることができる。また、蓄勢トリップ記憶時には、ヒューズ切れトリップ制御を行わないようにすることができる。
【図面の簡単な説明】
【図１】本発明に係る仮送電用高圧装置のヒューズ切れ検出保護装置の第１の実施の形態を示す回路図である。
【図２】本発明に係るヒューズ切れ検出保護装置の第２の実施の形態を示す回路図である。
【符号の説明】
１  ヒューズ切れ検出保護装置
１０Ａ  Ａ相ヒューズ切れ検出回路
１０Ｂ  Ｂ相ヒューズ切れ検出回路
１０Ｃ  Ｃ相ヒューズ切れ検出回路
１１ａ，１１ｂ  フィルタ
１２ａ，１２ｂ  Ａ／Ｄ変換器
１３ａ，１３ｂ  矩形波変換器
１４  位相比較回路
１５  重み付け回路
１６  ナンドゲート
１７  アンドゲート
２０，８０  オア回路
３０  ＬＥＤ
５０  ヒューズ切れ検出回路
６０  方向性地絡継電器部
１００  引外し形高圧開閉器
１０３  開閉部
１０４ａ，１０４ｂ，１０４ｃ  ヒューズ
１０５  トリップコイル
１０７ａ，１０７ｂ，１０７ｃ  電圧検出センサ
１０８ａ，１０８ｂ，１０８ｃ  電圧検出センサ
１１１ａ，１１１ｂ，１１１ｃ  電圧検出センサ
１１２ａ，１１２ｂ，１１２ｃ  変流器
１１３  零相変流器
【図１】
0004138075.tif 000002
【図２】
0004138075.tif 000003